(57)【要約】【課題】浴槽洗浄専用の配管工事が不要で、浴槽蓋や配管など全体の構成が簡素で実現性があり使い勝手のよい浴槽洗浄装置を提供する。【解決手段】浴槽洗浄装置１は、浴槽２に設置される浴槽蓋３上に導水管４を配置し、導水管の一端５を給水・給湯水栓６に着脱可能に連通させ、導水管の他端７には、浴槽蓋が浴槽に設置された状態で浴槽の内部側に相対する散水部８を接続し、給水・給湯水栓から供給される冷水または湯水９を導水管を介して散水部から浴槽内に散水することにより浴槽を洗浄する。【選択図】    図１
2005027755.tif 000002
【特許請求の範囲】
【請求項１】
浴槽に設置される浴槽蓋上に導水管を配置し、
この導水管の一端を給水・給湯水栓に着脱可能に連通させ、
前記導水管の他端には、前記浴槽蓋が前記浴槽に設置された状態でこの浴槽の内部側に相対する散水部を接続し、
前記給水・給湯水栓から供給される冷水または湯水を前記導水管を介して前記散水部から前記浴槽内に散水することにより前記浴槽を洗浄することを特徴とする浴槽洗浄装置。
【請求項２】
請求項１に記載の浴槽洗浄装置であって、前記導水管の途中に洗剤を注入するようにしたことを特徴とする浴槽洗浄装置。
【請求項３】
請求項２に記載の浴槽洗浄装置であって、
前記洗剤は、タンクに貯留されるとともにこのタンクからポンプで吸入されて前記導水管の途中に注入されるようにしたことを特徴とする浴槽洗浄装置。
【請求項４】
請求項２に記載の浴槽洗浄装置であって、
前記導水管は、この導水管の途中で並列に分岐し流量調節可能な分岐管を有し、この分岐管の途中に前記洗剤を注入するようにしたことを特徴とする浴槽洗浄装置。
【請求項５】
請求項４に記載の浴槽洗浄装置であって、
前記洗剤は、タンクに貯留されるとともにこのタンクからポンプで吸入されて前記分岐管の途中に注入されるようにしたことを特徴とする浴槽洗浄装置。
【請求項６】
請求項１ないし５のいずれかの項に記載の浴槽洗浄装置であって、前記給水・給湯水栓を通る冷水または湯水の流れ状態が自動制御されることを特徴とする浴槽洗浄装置。
【請求項７】
請求項６に記載の浴槽洗浄装置であって、
前記給水・給湯水栓を通る冷水または湯水の前記流れ状態は、少なくとも、前記浴槽に付着している汚れを除去しやすくするために放置される待機状態と、清浄な冷水または湯水を前記浴槽に散水する濯ぎ状態とをなすように自動制御されることを特徴とする浴槽洗浄装置。
【請求項８】
請求項６に記載の浴槽洗浄装置であって、
前記給水・給湯水栓を通る冷水または湯水の前記流れ状態は、前記洗剤を含む洗浄液を前記浴槽に吹き付ける洗浄状態と、前記浴槽に付着している汚れを除去しやすくするために放置される待機状態と、清浄な冷水または湯水を前記浴槽に散水する濯ぎ状態とをなすように自動制御されることを特徴とする浴槽洗浄装置。
【発明の詳細な説明】
【０００１】
【発明の属する技術分野】
本発明は、冷水または湯水（温水。以下同じ）を浴槽内に散水して浴槽を洗浄するための浴槽洗浄装置に関する。
【０００２】
【従来の技術】
近時の浴室ユニットは全体として室内空間が広く、また、浴槽自体も容量が大きくなる傾向にある。こうした傾向は、入浴を快適にする反面、浴槽の清掃には大きな負担を強いることになり、特に、高齢者世帯にとってこの清掃作業の軽減が求められている。
そこで、近時は、浴槽を自動的に洗浄するための浴槽洗浄装置が提案されている。従来の浴槽洗浄装置としては、特許文献１（特開平１１−３１３７７２号公報），特許文献２（実開昭６３−７１８６９号公報），特許文献３（特開平５−１９２２９３号公報），特許文献４（特開平３−２７７３２９号公報），特許文献５（実開平６−３４４号公報）に記載されているように、浴槽に設置される浴槽蓋を利用する構想が散見される。
すなわち、これら特許文献１ないし特許文献５に記載の技術において共通する構成は、浴槽蓋の下面に散水ノズルを設け、この散水ノズルまで導水して浴槽を洗浄する点である。
【０００３】
【特許文献１】
特開平１１−３１３７７２号公報
【特許文献２】
実開昭６３−７１８６９号公報
【特許文献３】
特開平５−１９２２９３号公報
【特許文献４】
特開平３−２７７３２９号公報
【特許文献５】
実開平６−３４４号公報）
【０００４】
【発明が解決しようとする課題】
しかしながら、上述の各従来技術には以下のような課題があるので、実際の商品化は困難である。
すなわち、特許文献１に記載の浴槽洗浄装置は、配管を浴槽蓋（風呂蓋）の内部に配設する構造なので、洗浄専用の特殊な浴槽蓋を準備する必要がある。この浴槽蓋の構成は複雑であり、その成形が困難で耐久性も劣る可能性があり、また、浴槽蓋自体が重くなってその取扱いに支障が生じる可能性もある。
さらに、洗浄水の供給口を浴槽に別途設ける構成なので、必要な配管も複雑になる。給水・給湯用の水栓への供給経路とは別に、洗浄水専用の供給経路を設けているので、そのための配管工事が必要で、配管工事のための手間とコストが嵩む。
【０００５】
特許文献２に記載の浴槽洗浄装置は、浴槽蓋に設けられたノズルまでの洗浄水の供給系統がどのように構成されているか明確でなく、また、液体洗剤と洗浄水の切替えをどのように行うかの構成も明確でないので、具体性を欠いている。
特許文献３に記載の自動洗浄浴槽は、アームによる浴槽蓋の開閉支持機構が設けられ、アームには水路が形成されているので、浴槽洗浄のための装置全体の構造が複雑で実現性の点で課題がある。
【０００６】
特許文献４に記載の浴槽洗浄装置は、浴槽蓋に噴射ノズルを設け、浴槽壁面にも噴射ノズルを設けている。そのため、浴槽の穴加工などの施工が複雑化し、また、洗剤の散布にコンプレッサを使用するので、浴槽洗浄装置全体が複雑化しイニシャルコストも高額になる。
特許文献５に記載の浴槽洗浄装置は、浴槽蓋（風呂蓋）の内部に配管を配設する構造なので、浴槽蓋の構造が複雑化するとともにその成形が困難であり、耐久性も劣ることになり、浴槽蓋自体が重くなるという課題がある。また、水栓への供給経路とは別に専用の洗浄水供給経路を設けているので、そのための配管が必要になり手間とコストが嵩む。
【０００７】
本発明は、このような課題を解決するためになされたもので、浴槽洗浄専用の配管工事が不要で、浴槽蓋や配管など全体の構成が簡素で実現性のある使い勝手のよい浴槽洗浄装置を提供することを目的とする。
【０００８】
【課題を解決するための手段】
上述の目的を達成するため、本発明にかかる浴槽洗浄装置は、浴槽に設置される浴槽蓋上に導水管を配置し、この導水管の一端を給水・給湯水栓に着脱可能に連通させ、前記導水管の他端には、前記浴槽蓋が前記浴槽に設置された状態でこの浴槽の内部側に相対する散水部を接続し、前記給水・給湯水栓から供給される冷水または湯水を前記導水管を介して前記散水部から前記浴槽内に散水することにより前記浴槽を洗浄している。
前記浴槽洗浄装置は、前記導水管の途中に洗剤を注入するように構成するのが好ましい。
前記洗剤は、タンクに貯留されるとともにこのタンクからポンプで吸入されて前記導水管の途中に注入されるように構成するのが好ましい。
たとえば、前記導水管は、この導水管の途中で並列に分岐し流量調節可能な分岐管を有し、この分岐管の途中に前記洗剤を注入するように構成するのが好ましい。
この場合、前記洗剤は、タンクに貯留されるとともにこのタンクからポンプで吸入されて前記分岐管の途中に注入されるように構成するのが好ましい。
上述の各浴槽洗浄装置において、前記給水・給湯水栓を通る冷水または湯水の流れ状態が自動制御されるのが好ましい。
たとえば、前記給水・給湯水栓を通る冷水または湯水の前記流れ状態は、少なくとも、前記浴槽に付着している汚れを除去しやすくするために放置される待機状態と、清浄な冷水または湯水を前記浴槽に散水する濯ぎ状態とをなすように自動制御される。
好ましくは、前記給水・給湯水栓を通る冷水または湯水の前記流れ状態は、前記洗剤を含む洗浄液を前記浴槽に吹き付ける洗浄状態と、前記浴槽に付着している汚れを除去しやすくするために放置される待機状態と、清浄な冷水または湯水を前記浴槽に散水する濯ぎ状態とをなすように自動制御される。
【０００９】
【発明の実施の形態】
以下、本発明にかかる実施の形態の一例を、図１ないし図１０を参照して説明する。
図１ないし図４は、本発明の第１の実施形態を示す図である。図１は、浴槽洗浄装置（以下、洗浄装置と記載）の概略断面図で、図１（Ａ），（Ｂ）は、浴槽蓋を取付けた状態と取り外した状態とをそれぞれ示している。図２は、第１の実施形態における変形例にかかる洗浄装置の概略断面図で、図１（Ａ）相当図である。
図３は、図１，図２に示す第１の実施形態において、定時間止水水栓を使用した場合の洗浄の手順を示すフローチャート、図４は、図１，図２に示す第１の実施形態において、定量止水水栓を使用した場合の洗浄の手順を示すフローチャートである。
図５ないし図１０は本発明の第２の実施形態を示す図である。図５は、洗浄装置の概略断面図、図６，図７および図８は、それぞれ第２の実施形態における第１の変形例，第２の変形例および第３の変形例にかかる洗浄装置の概略断面図で、図５相当図である。
【００１０】
図１ないし図１０に示すように、浴室（たとえば、システムバスルーム）には洗浄装置（浴槽洗浄装置）１，１ａ〜１ｅが設置されている。浴室は、一戸建て住宅，集合住宅，ホテルなどに設置されており、浴室ユニットの場合が多いがユニット化されていなくてもよい。
浴室の内部には、浴槽２，洗い場，カウンターなどが設けられている。浴槽２は、防水機能を有して浴室の底部に配置された防水パン上に設置されている。浴槽２の上部の全周縁には、額縁形状のフランジ１０が形成されている。浴槽蓋３は、フランジ１０上に着脱自在に設置されて、浴槽２の上部開口部１１を覆うことができるようになっている。
【００１１】
洗浄装置１，１ａ〜１ｅは、浴槽２に設置される浴槽蓋３上に導水管４，４ｄ，４ｅが配置され、導水管４，４ｄ，４ｅの一端５が、給水・給湯水栓６に着脱可能に連通している。導水管４，４ｄ，４ｅの他端７には、散水部８が着脱可能に接続されている。散水部８は、浴槽蓋３が浴槽２に設置された状態で、浴槽２の内部側に相対している。
給水・給湯水栓６を通る冷水または湯水（以下、湯水等と記載）９の流れ状態は、自動制御されている。給水・給湯水栓６から供給される湯水等９を、導水管４，４ｄ，４ｅを介して散水部８から浴槽２内に散水することにより、浴槽２を洗浄する。
これにより、洗浄装置１，１ａ〜１ｅは、浴槽洗浄専用の配管工事が不要で、浴槽蓋３や配管（導水管４，４ｄ，４ｅ）など全体の構成が簡素で実現性があり使い勝手のよい構成になっている。
【００１２】
（第１の実施形態）
図１ないし図４は、本発明の基本的な一実施形態を示している。
図１，図２に示すように、浴槽蓋３の上面には、蓋側接続部材１５が所定位置に位置決め固定されている。浴槽蓋３の下面には、一つまたは複数の散水部８が配設されている。
散水部８から湯水等９が浴槽２内の全体に行き渡って散水されるように、散水部８の取付け位置および個数が設定されている。散水部８は、導水管４の他端７に着脱可能にねじ込み固定されており、散水部８としては、多数の噴出口１２を有するノズルが使用されている。
導水管４の大部分が、浴槽蓋３の上面側に露出して配置され、導水管４の一端５は、蓋側接続部材１５に連通接続されている。導水管４の他端７は、浴槽蓋３を貫通して散水部８に連通接続されている。
このように、浴槽蓋３は、導水管４，蓋側接続部材１５および散水部８が付設された構成になっている。
【００１３】
給水・給湯水栓６は、浴槽２のフランジ１０（または、浴室の壁面など）に取付けられて浴室内に配置されている。給水・給湯水栓６には、浴室の外部に配管された給水・給湯管１７が連通接続されている。湯水等９は、給水・給湯管１７を流れて給水・給湯水栓６に供給される。
給水・給湯水栓６の出口側には、水栓側接続部材１６が給水・給湯水栓６と連通して取付けられている。蓋側接続部材１５と水栓側接続部材１６は、互いに着脱可能な一組のカプラーなどにより構成されている。導水管４などが付設された浴槽蓋３は、蓋側接続部材１５と水栓側接続部材１６とを介して給水・給湯水栓６に対して着脱可能である。
導水管４は、給水・給湯水栓６と散水部８とに着脱可能に連通するようになっており、給水・給湯水栓６から取り外し可能であり、散水部８も導水管４から取り外し可能である。
したがって、これら構成部材の組み立て，メンテナンス，清掃が容易である。たとえば、導水管４を浴槽蓋３から取り外して、浴槽蓋３や流路内部などの清掃を容易に行うことができ、導水管４の修理や交換も容易である。
【００１４】
導水管４などが付設された浴槽蓋３を浴槽２に設置すると、蓋側接続部材１５が水栓側接続部材１６に着脱可能に接続される（図１（Ａ）参照）。蓋側接続部材１５が水栓側接続部材１６に接続されると、給水・給湯水栓６，水栓側接続部材１６，蓋側接続部材１５，導水管４，散水部８の順で連通状態になる。
浴槽蓋３を浴槽２から取り外すと、蓋側接続部材１５は、水栓側接続部材１６から分離した状態になる（図１（Ｂ）参照）。
【００１５】
給水・給湯水栓６を通る湯水等９の流れ状態は、少なくとも待機状態Ｓ２と濯ぎ状態Ｓ３とをなすように自動制御される。待機状態Ｓ２は、浴槽２に付着している汚れを除去しやすくするために放置される状態であり、濯ぎ状態Ｓ３は、清浄な湯水等９を浴槽２に散水する状態である。
湯水等９の流れ状態を自動制御して、待機状態Ｓ２や濯ぎ状態Ｓ３などの組み合わせができるので、シンプルな構成で洗浄動作の制御が可能である。
また、人は、市販の浴槽用洗剤（液状洗剤）をハンドスプレーなどで浴槽２の内部全体に吹き付けて散布し、浴槽蓋３を浴槽２に設置した後は、洗浄開始のための操作を行うだけでよいので、そこに止まって時間待ちする必要はなく好都合である。
【００１６】
図１ないし図１０に示す各実施形態では、給水・給湯水栓６として、定時間止水機能付きの自動給水栓（すなわち、定時間止水水栓）、または定量止水機能付きの自動給水栓（すなわち、定量止水水栓）を使用している。
なお、これら定時間止水機能や定量止水機能を、給水・給湯管１７の途中に接続された給湯器などに付加し、給水・給湯水栓６としては、これらの機能を有さない水栓を使用する場合であってもよい。
【００１７】
図１に示す浴槽洗浄装置１では、洗浄開始時に給水・給湯水栓６を直接操作すれば、その後、給水・給湯水栓６の開閉動作が自動制御されて、定時間止水機能または定量止水機能を発揮する。
図２に示す浴槽洗浄装置１ａでは、給水・給湯水栓６を自動的に制御するための操作部１８が浴室の内部または外部に設けられている。洗浄開始時に操作部１８を操作すれば、信号が給水・給湯水栓６に送出されて、給水・給湯水栓６が定時間止水機能または定量止水機能を発揮し、湯水等９の流れ状態を自動的に制御する。また、操作部１８を操作すれば、給水・給湯水栓６を流れる冷水と湯水の切替えや湯水の温度調節などを行うことができる。
【００１８】
次に、浴槽２を洗浄する手順について説明する。
図１，図２に示す浴槽洗浄装置１，１ａにおいて、まず最初に、浴槽蓋３が浴槽２から取り外された状態で、浴槽２内の残り湯を抜き、ハンドスプレーなどで浴槽用洗剤を浴槽２の内部全体に吹き付けた後、導水管４などが付設された浴槽蓋３を浴槽２に設置する。
浴槽蓋３がフランジ１０上に配置されると、蓋側接続部材１５が水栓側接続部材１６に接続されて、給水・給湯水栓６と導水管４が連通する。
【００１９】
給水・給湯水栓６として定時間止水水栓を使用した場合には、たとえば、図３（Ａ）に示すように、浴槽蓋３が浴槽２に設置された状態で、浴槽洗浄装置１，１ａの給水・給湯水栓６を動作させる。
洗浄開始時には、浴槽洗浄装置１では給水・給湯水栓６を直接操作し、浴槽洗浄装置１ａでは、操作部１８を操作して給水・給湯水栓６に信号を出力する。
【００２０】
待機状態Ｓ２では、給水・給湯水栓６（定時間止水水栓）は時間（設定時間）により制御され、浴槽２の全体に浴槽用洗剤が吹き付けられた状態で所定の設定時間のあいだこのまま放置される（ステップ１０１）。
この待機状態Ｓ２では、給水・給湯水栓６は閉じた止水状態なので、浴槽２内には湯水等９は散水されない。この状態で放置することにより、浴槽２内に付着していた汚れが、洗剤により付着面から浮き上がって除去しやすくなる。
所定の設定時間が経過した後（ステップ１０１）、清浄な湯水等９を浴槽２に散水する濯ぎ状態Ｓ３に移行する。
【００２１】
濯ぎ状態Ｓ３では、給水・給湯水栓６が開いて大流量の給水が開始され（ステップ１０２）、この給水は、所定の設定時間が経過するまで継続する（ステップ１０３）。
濯ぎ状態Ｓ３では、清浄な湯水等９が、給水・給湯管１７，給水・給湯水栓６，水栓側接続部材１６，蓋側接続部材１５，導水管４を通って、散水部８の噴出口１２から勢いよく噴射して拡散放出される。
これにより、浴槽２の内面に付着していた汚れや洗剤が、清浄な湯水等９とともに排出口１９から排出され、浴槽２の内部が濯がれて清浄になる。所定の設定時間が経過して濯ぎが完了すると（ステップ１０３）、給水・給湯水栓６が閉じて出水を停止する（ステップ１０４）。
【００２２】
こうして一連の洗浄の手順が終了すると、浴槽蓋３などを浴槽２から取り外し、浴槽２の排水口１９に排水栓を取付け、給水・給湯水栓６を開いて湯水を水栓側接続部材１６から浴槽２に給水して溜めれば入浴可能になる。
浴槽蓋３を取り外した後は、給水・給湯水栓６を、通常の定時間止水水栓（または、定量止水水栓）と同様に、浴室内の通常の給水・給湯用水栓として使用することができる。
【００２３】
図３（Ｂ）は、より好ましい洗浄の手順を示している。
この手順において、待機状態Ｓ２は図３（Ａ）と同じであるが、濯ぎ状態Ｓ３の手順が改良されている。すなわち、待機状態Ｓ２における所定の設定時間が経過すると（ステップ１０１）、濯ぎ状態Ｓ３に移行する。
濯ぎ状態Ｓ３では、給水・給湯水栓６が開いて大流量の給水が開始され（ステップ１０２）、散水部８から清浄な湯水等９を散水する。この大流量の給水は、所定の第１の設定時間のあいだ継続する（ステップ１０３）。
所定の第１の設定時間が経過すると（ステップ１０３）、給水・給湯水栓６が閉じて出水が停止し（ステップ１０４）、この出水停止の状態は所定の第２の設定時間のあいだ継続する（ステップ１０５）。その結果、浴槽２内に溜まっていた濯ぎ水は所定の第２の設定時間のあいだに排出口１９から排出されて、浴槽２内は空になる。
【００２４】
この出水停止状態は所定の第２の設定時間のあいだ維持されるが、第２の設定時間が経過すると（ステップ１０５）、所定の全設定時間が経過したか否かが判別され（ステップ１０６）、経過していない場合にはステップ１０２に戻る。
そうして、ステップ１０２からステップ１０６までの手順を繰り返して、大流量の給水と出水停止とを繰り返して、間欠的に給水する。これにより、濯ぎ中に濯ぎ水が浴槽２内に溜まるのを防ぐことができるので、濯ぎ水が次第に清浄になっていき、浴槽２内をより清浄になるまで濯ぐことができる。
すなわち、濯ぎ中に、汚れた濯ぎ水の排水が間に合わずに浴槽２内に溜まり、濯ぎが完了して濯ぎ水全部が排水された後に浴槽２に汚れが残ってしまう、といった不具合を防止することができる。
所定の全設定時間が経過すると（ステップ１０６）、給水・給湯水栓６は閉じて濯ぎが完了し、一連の洗浄の手順が終了する。
【００２５】
図４に示すように、給水・給湯水栓６に定量止水水栓を使用した場合、定量止水水栓の多くは、水流による水車の回転を制御の動力として使用しているので、もし待機状態Ｓ２で完全に止水すると制御が停止してしまう。
そのため、定量止水水栓の場合には、待機状態Ｓ２のときに完全には止水せずに少量の水が流れ続けるように定量止水水栓を絞って少流量の給水を維持することで、上述の定時間止水水栓と同様の効果を得るようにしている。
したがって、待機状態Ｓ２のときの少流量の給水は、給水・給湯水栓６の制御のために流す捨て水となっている。
【００２６】
この定量止水水栓を使用した場合も、定時間止水水栓を使用した場合と同様に、まず最初に、浴槽蓋３が取り外された状態で浴槽２の残り湯を抜き、ハンドスプレーなどで浴槽用洗剤を浴槽２の内面全体に吹き付けた後、浴槽蓋３を浴槽２に設置する。
浴槽蓋３がフランジ１０上に配置されると、蓋側接続部材１５が水栓側接続部材１６に接続されて、給水・給湯水栓６と導水管４が連通する。
次いで、給水・給湯水栓６を通る湯水等９の流れ状態を自動制御する。すなわち、給水・給湯水栓６を通る湯水等９の流れ状態が、待機状態Ｓ２と濯ぎ状態Ｓ３とをなすように自動制御される。
【００２７】
たとえば、図４（Ａ）に示すように、浴槽洗浄装置１，１ａにおいて、待機状態Ｓ２では、給水・給湯水栓６を制御し、少流量の給水を開始した後（ステップ２０１）、所定の設定量の出水が終了するまで、この少流量の給水を維持して放置する（ステップ２０２）。
待機状態Ｓ２では、散水部８からは少量の水が出ているが、散水状態にはなっていない。すなわち、給水・給湯水栓６（定量止水水栓）を出水流量（設定量）により制御し、所定の設定量の出水が完了するまでのあいだ（ステップ２０２）、浴槽２の全体に浴槽用洗剤が吹き付けられた状態のままで放置する。これにより、浴槽２内に付着していた汚れは、洗剤により付着面から浮き上がって除去しやすくなる。
所定の設定量の出水が終了すると（ステップ２０２）、待機状態Ｓ２が完了して濯ぎ状態Ｓ３に移行する。
【００２８】
濯ぎ状態Ｓ３では、大流量の給水が開始され（ステップ２０３）、散水部８から清浄な湯水等９が散水されて浴槽２の内面が濯がれる。この濯ぎは、所定の設定量の出水が終了するまで継続される（ステップ２０４）。
所定の設定量の出水が終了すると（ステップ２０４）、濯ぎが終了し、給水・給湯水栓６が閉じて出水が停止する（ステップ２０５）。このようにして、一連の洗浄の手順が終了する。
【００２９】
一方、図４（Ｂ）に示す手順では、濯ぎ時に大流量の給水と少流量の給水とを繰り返し、間欠的に給水することにより、濯ぎ水が浴槽２に溜まるのを防いでいる。なお、この場合の待機状態Ｓ２は、図４（Ａ）に示す手順と同じである。
待機状態Ｓ２の完了後の濯ぎ状態Ｓ３では、まず大流量の給水を開始し（ステップ２０３）、清浄な湯水等９を散水部８から散水する。この大流量の給水は、所定の第１の設定量の出水が終了するまで継続する（ステップ２０４）。
所定の第１の設定量の出水が終了すると（ステップ２０４）、少流量の給水を開始する（ステップ２０５）。この少流量の給水は所定の第２の設定量の出水が終了するまで継続する（ステップ２０６）。この少流量の給水状態では、散水部８からは少量の水が出るだけであり散水状態にはなっていない。
【００３０】
少流量の給水がなされて所定の第２の設定量の出水が終了すると（ステップ２０６）、所定の全設定量の出水が終了したか否かを判別し（ステップ２０７）、終了していない場合には、ステップ２０３に戻って大流量の給水を再開する。
その後、ステップ２０３からステップ２０７までの手順、すなわち、大流量の給水と少流量の給水を繰り返して、間欠的に給水する。これにより、濯ぎ水が浴槽２に溜まるのを防ぐことができるので、濯ぎ水が次第に清浄になっていき、浴槽２をより清浄になるまで濯ぐことができる。
所定の全設定量の出水が終了すると（ステップ２０７）、濯ぎが終了し、給水・給湯水栓６を閉じて出水を停止する（ステップ２０８）。こうして、一連の洗浄の手順が終了する。
【００３１】
（第２の実施形態）
次に、本発明の第２の実施形態について、図５ないし図１０を参照して説明する。なお、図５ないし図１０に示す第２の実施形態において、図１ないし図４に示す第１の実施形態と同一または相当部分には同一符号を付してその説明を省略し、異なる部分のみ説明する。
第２の実施形態にかかる浴槽洗浄装置１ｂ〜１ｅにおいて、給水・給湯水栓６を通る湯水等９の流れ状態が自動制御される点は、第１の実施形態と同じである。
【００３２】
浴槽洗浄装置１ｂ〜１ｅでは、導水管４，４ｄ，４ｅの途中に洗剤３０を注入するようにしている。そして、給水・給湯水栓６の開閉動作を自動制御することにより、給水・給湯水栓６を通る湯水等９の流れ状態は、洗剤３０を含む洗浄液を浴槽２に吹き付ける洗浄状態Ｓ１と、浴槽２に付着している汚れを除去しやすくするために放置される待機状態Ｓ２と、清浄な湯水等９を浴槽２に散水する濯ぎ状態Ｓ３とをなすように自動制御される。
ここで、「洗剤３０を含む洗浄液」は、たとえば、洗剤３０の原液のまま、または、洗剤３０と湯水等９との混合水のことである。なお、洗剤３０としては、市販の浴槽洗浄用の液体洗剤が好ましい。
【００３３】
第２の実施形態では、浴槽２に洗浄液を自動的に散布しており、また、洗浄状態Ｓ１に続いて待機状態Ｓ２としたのち濯ぎを行なっているので、洗浄液が汚れを浮き上がらせたのちの濯ぎ洗いまでの一連の洗浄作業を自動的に行うことができる。
給水・給湯水栓６内の水圧の方が導水管４，４ｄ，４ｅ内の水圧より高いので、導水管４内に注入された洗剤３０が、給水・給湯水栓６側に逆流する恐れは少ない。
特に、浴槽２の洗浄後に浴槽蓋３を浴槽２から取り外せば、導水管４，４ｄ，４ｅは給水・給湯水栓６から分離するので、洗剤３０が逆流して上流側の給水・給湯源を汚染するといった恐れはない。
【００３４】
図５に示す浴槽洗浄装置１ｂでは、導水管４の途中に洗剤投入口３１が形成されており、洗剤投入口３１には、キャップ３２が着脱可能に取付けられている。洗剤投入口３１に洗剤３０を注入した後は、キャップ３２で洗剤投入口３１を閉じる。
洗剤投入口３１に注入された洗剤３０は、導水管４内で希釈されず原液のままの洗浄液、または湯水等９と混合した洗浄液になり、散水部８から勢いよく噴出して浴槽２内の全体に吹き付けられる。
【００３５】
図６に示す浴槽洗浄装置１ｃでは、洗剤３０は、タンク３３に貯留されるとともにタンク３３からポンプ３４で吸入されて、導水管４の途中に注入されるようになっている。
導水管４の途中には、枝管３５が連通接続されている。枝管３５の上端部にタンク３３が連通接続され、枝管３５の途中にポンプ３４が接続されている。タンク３３には、複数回（たとえば、一週間分）の洗浄に使用する量の洗剤３０を貯留可能である。タンク３３を設けたので、洗浄を行う毎に洗剤３０を準備する必要がなくなり、洗浄の準備作業が簡略化する。
ポンプ３４を手動などで操作すれば、タンク３３内の洗剤３０のうち一回の洗浄に必要な分量の洗剤３０が、枝管３５を通って導水管４に注入される。洗剤３０は、導水管４内で、希釈されず原液のままの洗浄液、または湯水等９と混合した洗浄液になり、散水部８から勢いよく噴出して浴槽２内の全体に吹き付けられる。
【００３６】
図７，図８に示す浴槽洗浄装置１ｄ，１ｅにおける導水管４ｄ，４ｅは、この導水管４ｄ，４ｅの途中で並列に分岐し流量調節可能な分岐管４０を有している。分岐管４０は、導水管４ｄ，４ｅに対して、上流側の分岐部４２で分岐し、下流側の合流部４３で合流している。
分岐管４０の途中に洗剤３０を注入するようにしており、また、分岐管４０の途中には、分岐管４０を流れる流量を調節するための流量調節弁４１が接続されている。
【００３７】
図７に示す浴槽洗浄装置１ｄの分岐管４０には、キャップ３２を有し洗剤３０を分岐管４０に注入するための洗剤投入口３１が設けられている。分岐管４０を流れる湯水等９の量は、流量調節弁４１で調節可能であり、また、洗剤投入口３１から洗剤３０を注入することができる。
図８に示す浴槽洗浄装置１ｅでは、洗剤３０は、タンク３３に貯留されるとともにこのタンク３３からポンプ３４で吸入されて分岐管４０の途中に注入されるようになっている。
【００３８】
前記構成の浴槽洗浄装置１ｄ，１ｅは、図６に示す浴槽洗浄装置１ｃと同じ作用効果を奏する。また、導水管４ｄ，４ｅの途中に分岐管４０と流量調節弁４１を設け、分岐管４０に洗剤３０を注入するようにしたので、洗剤３０と湯水等９とを混合してできた洗浄液を浴槽２に吹き付けることができる。
流量調節弁４１を操作して分岐管４０を流れる流量を調節すれば、洗剤３０が混合された洗浄液の濃度（湯水等９に対する洗剤３０の混合比）を、任意に且つ容易に調節することができる。
たとえば、流量調節弁４１を絞れば、分岐管４０に流れ込む湯水等９の流量が少なくなるので、分岐管４０から押出される洗剤３０の量が減り、合流部４３より下流での洗剤３０の混合比は小さくなる。
これとは逆に、流量調節弁４１を開ければ、分岐管４０に流れ込む湯水等９の流量が多くなるので、分岐管４０から押出される洗剤３０の量が増え、合流部４３より下流での洗剤３０の混合比は大きくなる。
【００３９】
次に、図５ないし図８に示す浴槽洗浄装置１ｂ〜１ｅにおける洗浄の手順を説明する。
図９は、浴槽洗浄装置１ｂ〜１ｅで、給水・給湯水栓６として定時間止水水栓を使用した場合の洗浄の手順を示すフローチャートである。この場合の準備作業としては、まず始めに、浴槽２の残り湯を抜いた後、浴槽蓋３を浴槽２に設置する。浴槽蓋３がフランジ１０上に配置されると、蓋側接続部材１５が水栓側接続部材１６に接続されて、給水・給湯水栓６と導水管４（または、導水管４ｄ，４ｅ）が連通する。
次いで、図５，図７に示す浴槽洗浄装置１ｂ，１ｄでは、一回の洗浄に使用する分量の洗剤３０を、洗剤投入口３１から導水管４（図５）または分岐管４０（図７）に投入する。
一方、図６，図８に示す浴槽洗浄装置１ｃ，１ｅの場合には、一回の洗浄に使用する分量の洗剤３０を、ポンプ３４によりタンク３３から導水管４（図６）または分岐管４０（図８）に注入する。
【００４０】
その後、洗浄動作が開始する。図９（Ａ）に示す手順では、給水・給湯水栓６を動作させれば、洗剤３０を含む洗浄液（洗剤３０の原液または混合液）を浴槽２に吹き付ける洗浄状態Ｓ１になる。
この洗浄状態Ｓ１では、給水・給湯水栓６が開いて大流量の給水を開始する（ステップ３０１）。これにより、洗剤３０を含む洗浄液が、散水部８から勢いよく噴出して浴槽２内の全体に吹き付けられる。
この大流量の給水は所定の設定時間のあいだ継続して行われて浴槽２が洗浄される（ステップ３０２）。この所定の設定時間が経過すると（ステップ３０２）、洗浄状態Ｓ１から待機状態Ｓ２に移行する。
【００４１】
待機状態Ｓ２では、給水・給湯水栓６が自動的に閉じて出水が停止する（ステップ３０３）。この出水停止状態は所定の設定時間のあいだ維持され（ステップ３０４）、放置される。これにより、浴槽２内に付着していた汚れが、洗浄液により付着面から浮き上がって除去しやすくなる。
所定の設定時間が経過すると（ステップ３０４）、待機状態Ｓ２から濯ぎ状態Ｓ３に移行する。濯ぎ状態Ｓ３では、給水・給湯水栓６が開いて、大流量の給水が開始される（ステップ３０５）。この大流量の給水は所定の所定の設定時間のあいだ継続するので（ステップ３０６）、清浄な湯水等９が浴槽２内に散水されて浴槽２が濯がれる。
所定の設定時間が経過すると（ステップ３０６）、濯ぎ状態Ｓ３が終了し、給水・給湯水栓６が閉じて出水を停止する（ステップ３０７）。このようにして、一連の洗浄の手順が終了する。
【００４２】
図９（Ｂ）は、他の洗浄の手順の一例を示している。
この場合の洗浄状態Ｓ１と待機状態Ｓ２の手順は、図９（Ａ）に示す洗浄状態Ｓ１と待機状態Ｓ２における手順と同じであるが、濯ぎ状態Ｓ３では、濯ぎ時に出水と止水を繰り返して、間欠的に給水することにより、濯ぎ水が浴槽２に溜まるのを防止している。
すなわち、濯ぎ状態Ｓ３における手順（ステップ３０５からステップ３０９まで）は、図３（Ｂ）に示す濯ぎ状態Ｓ３における手順（ステップ１０２からステップ１０６まで）と同じであり、同様の作用効果を奏する。
【００４３】
図１０は、浴槽洗浄装置１ｂ〜１ｅで、給水・給湯水栓６として定量止水水栓を使用した場合の洗浄の手順を示すフローチャートである。
たとえば、図１０（Ａ）に示す手順では、まず始めに、給水・給湯水栓６を動作させれば洗浄状態Ｓ１が開始する。すなわち、給水・給湯水栓６が開いて、大流量の給水を開始する（ステップ４０１）。
この大流量の給水は、所定の設定量出水するまで継続する（ステップ４０２）。これにより、浴槽２内の全体に洗浄液（洗剤３０の原液または混合液）が吹き付けられる。
この所定の設定量の出水が終了すると（ステップ４０２）、洗浄状態Ｓ１から待機状態Ｓ２に移行する。待機状態Ｓ２以降の手順（ステップ４０３からステップ４０７まで）は、図４（Ａ）に示す手順（ステップ２０１からステップ２０５まで）と同じである。
【００４４】
図１０（Ｂ）は、他の洗浄の手順の一例を示している。この場合の洗浄状態Ｓ１と待機状態Ｓ２の手順（ステップ４０１からステップ４０４まで）は、図１０（Ａ）に示す洗浄状態Ｓ１と待機状態Ｓ２における手順（ステップ４０１からステップ４０４まで）と同じである。
また、濯ぎ状態Ｓ３以降の手順（ステップ４０５からステップ４１０まで）は、図４（Ｂ）に示す濯ぎ状態Ｓ３以降の手順（ステップ２０３からステップ２０８まで）と同じであり、同様の作用効果を奏する。
浴槽洗浄装置１ｂ〜１ｅでは、洗浄状態Ｓ１，待機状態Ｓ２，濯ぎ状態Ｓ３の順で順次自動的に洗浄ができるので、ハンドスプレーなどで浴槽用洗剤を浴槽２の内面に吹き付ける手作業が不要になり、浴槽２を容易に洗浄することができる。
また、導水管４，４ｄ，４ｅ内に残っている洗剤３０は濯ぎ時に洗い流されるので、洗剤３０が逆流して上流側の給水・給湯源を汚染するといった恐れはない。
【００４５】
上述の浴槽洗浄装置１，１ａ〜１ｅによれば、浴槽２を洗浄するための専用の配管工事は不要である。したがって、既設の浴室であっても、浴槽蓋３や導水管４，４ｄ，４ｅなどを手配して若干の工事を行えば、既設の浴槽２に浴槽洗浄装置１，１ａ〜１ｅを容易に増設することができる。
浴槽蓋３や配管（主として、導水管４，４ｄ，４ｅ）などは、全体の構成が簡素なので使い勝手がよく耐久性もあって容易に実現することができ、また、浴槽蓋３自体が軽量なので取扱いも容易である。
なお、図２，図５〜図８に示す浴槽洗浄装置１ａ〜１ｅにおいて、導水管４，４ｄ，４ｅなどが付設された浴槽蓋３を浴槽２から取り外すと、図１（Ｂ）に示すのと同じように、蓋側接続部材１５が水栓側接続部材１６から分離した状態になる。
【００４６】
以上、本発明の実施形態（変形例を含む）を説明したが、本発明は、上述の実施形態に限定されるものではなく、本発明の要旨の範囲で種々の変形，付加などが可能である。
なお、各図中同一符号は同一または相当部分を示す。
【００４７】
【発明の効果】
本発明は上述のように構成したので、浴槽洗浄専用の配管工事が不要で、浴槽蓋や配管など全体の構成が簡素で使い勝手のよい浴槽洗浄装置を容易に実現することができる。
【図面の簡単な説明】
【図１】図１ないし図４は本発明の第１の実施形態を示す図であり、図１は浴槽洗浄装置の概略断面図である。
【図２】第１の実施形態における変形例にかかる浴槽洗浄装置の概略断面図である。
【図３】第１の実施形態において定時間止水水栓を使用した場合の洗浄の手順を示すフローチャートである。
【図４】第１の実施形態において定量止水水栓を使用した場合の洗浄の手順を示すフローチャートである。
【図５】図５ないし図１０は本発明の第２の実施形態を示す図であり、図５は浴槽洗浄装置の概略断面図である。
【図６】第２の実施形態における第１の変形例にかかる浴槽洗浄装置の概略断面図である。
【図７】第２の実施形態における第２の変形例にかかる浴槽洗浄装置の概略断面図である。
【図８】第２の実施形態における第３の変形例にかかる浴槽洗浄装置の概略断面図である。
【図９】第２の実施形態において定時間止水水栓を使用した場合の洗浄の手順を示すフローチャートである。
【図１０】第２の実施形態において定量止水水栓を使用した場合の洗浄の手順を示すフローチャートである。
【符号の説明】
１，１ａ〜１ｅ    浴槽洗浄装置
２      浴槽
３      浴槽蓋
４，４ｄ，４ｅ    導水管
５      導水管の一端
６      給水・給湯水栓
７      導水管の他端
８      散水部
９      冷水または湯水
３０    洗剤
３３    タンク
３４    ポンプ
４０    分岐管
Ｓ１      洗浄状態
Ｓ２      待機状態
Ｓ３      濯ぎ状態
【図１】
2005027755.tif 000003
【図２】
2005027755.tif 000004
【図３】
2005027755.tif 000005
【図４】
2005027755.tif 000006
【図５】
2005027755.tif 000007
【図６】
2005027755.tif 000008
【図７】
2005027755.tif 000009
【図８】
2005027755.tif 000010
【図９】
2005027755.tif 000011
【図１０】
2005027755.tif 000012